【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技盤の盤面に設けられ、前記遊技領域に向けて打ち込まれた遊技球を受け入れ可能な始動口と、
前記始動口への遊技球の受け入れを検出し、当該遊技球の受入検出に応じて受入信号を出力する受入検出装置と、
前記受入検出装置による前記遊技球の受入検出が有効であるか否かを専用のディジタル回路を通じて判定する監視装置と、
賞としての所定量の遊技球を遊技者に与える遊技球付与手段と、
前記監視装置によって前記遊技球の受入検出が有効である旨判定されることを条件に前記受入検出装置から出力された受入信号を前記監視装置を介して受信し、当該受信した受入信号の検知を行う受入検知手段、
前記受入検知手段によって受入信号の受信が検知されたことに基づいて、前記遊技球付与手段を通じた遊技球の付与制御を行う遊技球付与制御手段、
前記受入検知手段によって受入信号が検知されたことに基づき、遊技者に有利な大当たり遊技の実行契機となる大当たりについての当落にかかる抽選処理を行う抽選手段、
および、前記抽選手段による抽選処理において大当たりに当選したことに応じて遊技者に有利な大当たり遊技を実行する大当たり遊技実行手段、
を少なくとも有する遊技制御装置と、を備え、
前記始動口には、可動部材を有する特定始動口が含まれており、
前記特定始動口から遊技盤の奥側に向けた方向には、当該特定始動口から受け入れた遊技球の通路となる特定始動受入通路が形成されており、
前記可動部材は、
前記特定始動受入通路内に収容される収容位置と、前記遊技盤の盤面から遊技者側に向けて突出する突出位置と、の間で変位可能であって、当該突出位置にあるときに、前記遊技領域に向けて打ち込まれた遊技球を受け止め可能であり且つ当該受け止めた遊技球を前記特定始動受入通路に誘導可能であると共に、当該突出位置から当該収容位置への切り替わりに際して受け止めた遊技球を溢す受止誘導部材、
および、前記特定始動口の開口領域を小さくする狭小位置と、当該狭小位置よりも前記特定始動受入通路内側であって且つ当該特定始動口の開口領域を当該狭小位置にあるときよりも大きくする広大位置と、の間で変位可能であって、当該狭小位置にあるときは当該特定始動口への遊技球の受け入れが不可能である一方、当該広大位置にあるときは当該特定始動口への遊技球の受け入れが可能となる受入防止部材、
を有しており、
前記可動部材を有する特定始動口は、前記受止誘導部材および前記受入防止部材を有する前記可動部材を構成要素とする特定始動口のみから構成される遊技機であって、
前記遊技制御装置は、
前記受止誘導部材を、前記収容位置から前記突出位置に変位させる可動制御を行う受止誘導可動制御手段と、
前記受入防止部材を、前記狭小位置から前記広大位置に変位させる可動制御を行う受入防止可動制御手段と、
特定条件の成立に応じて、前記受止誘導可動制御手段による可動制御及び前記受入防止可動制御手段による可動制御によって前記特定始動口への遊技球の受け入れを所定の期間だけ可能とする始動口開放制御を行う始動口開放制御手段と、
前記受止誘導部材の前記突出位置から前記収容位置への切り替わりに際して溢し損ねた遊技球が前記特定始動口に受け入れられ得る期間中であるか否かを判断する期間判断手段と、
前記始動口開放制御手段による前記始動口開放制御が行われていること、及び、前記期間判断手段により前記特定始動口に受け入れられ得る期間中である旨判断されること、のいずれかの条件が満たされているとき、該条件が満たされている旨を示す期間情報を前記監視装置に対して送信する情報送信手段と、を備えるものであり、
前記監視装置は、前記受入検出装置による前記遊技球の受入検出があったときは、前記情報送信手段から前記期間情報が送信されているか否かを前記専用のディジタル回路を通じて判断し、該期間情報が送信されている旨判断されることに基づいて当該遊技球の受入検出が有効である旨判定する
ことを特徴とする遊技機。
【請求項２】
前記抽選手段は、前記受入検知手段によって受入信号が検知されたことに基づいて乱数を取得し、該取得した乱数に基づいて前記大当たりについての当落にかかる抽選処理を行うものである
請求項１に記載の遊技機。
【請求項３】
前記監視装置は、前記受入検出装置による前記遊技球の受入検出があったときは、前記受入検出装置から出力される前記受入信号と、前記情報送信手段から送信される前記期間情報とを前記専用のディジタル回路としてのＡＮＤ回路に取り込み、該ＡＮＤ回路からの出力信号を前記遊技制御装置に送信するものであり、
前記遊技制御装置の前記受入検知手段は、前記ＡＮＤ回路からの出力信号を前記受入検出装置から出力された受入信号として受信するものである
請求項１または２に記載の遊技機。
【手続補正２】
【補正対象書類名】明細書
【補正対象項目名】０００８
【補正方法】変更
【補正の内容】
【０００８】
前記課題を解決するための請求項１に記載の遊技機は、遊技領域を有し、当該遊技領域に向けて遊技球が打ち込まれる遊技盤と、前記遊技盤の盤面に設けられ、前記遊技領域に向けて打ち込まれた遊技球を受け入れ可能な始動口と、前記始動口への遊技球の受け入れを検出し、当該遊技球の受入検出に応じて受入信号を出力する受入検出装置と、前記受入検出装置による前記遊技球の受入検出が有効であるか否かを専用のディジタル回路を通じて判定する監視装置と、賞としての所定量の遊技球を遊技者に与える遊技球付与手段と、前記監視装置によって前記遊技球の受入検出が有効である旨判定されることを条件に前記受入検出装置から出力された受入信号を前記監視装置を介して受信し、当該受信した受入信号の検知を行う受入検知手段、前記受入検知手段によって受入信号の受信が検知されたことに基づいて、前記遊技球付与手段を通じた遊技球の付与制御を行う遊技球付与制御手段、前記受入検知手段によって受入信号が検知されたことに基づき、遊技者に有利な大当たり遊技の実行契機となる大当たりについての当落にかかる抽選処理を行う抽選手段、および、前記抽選手段による抽選処理において大当たりに当選したことに応じて遊技者に有利な大当たり遊技を実行する大当たり遊技実行手段、を少なくとも有する遊技制御装置と、を備え、前記始動口には、可動部材を有する特定始動口が含まれており、前記特定始動口から遊技盤の奥側に向けた方向には、当該特定始動口から受け入れた遊技球の通路となる特定始動受入通路が形成されており、前記可動部材は、前記特定始動受入通路内に収容される収容位置と、前記遊技盤の盤面から遊技者側に向けて突出する突出位置と、の間で変位可能であって、当該突出位置にあるときに、前記遊技領域に向けて打ち込まれた遊技球を受け止め可能であり且つ当該受け止めた遊技球を前記特定始動受入通路に誘導可能であると共に、当該突出位置から当該収容位置への切り替わりに際して受け止めた遊技球を溢す受止誘導部材、および、前記特定始動口の開口領域を小さくする狭小位置と、当該狭小位置よりも前記特定始動受入通路内側であって且つ当該特定始動口の開口領域を当該狭小位置にあるときよりも大きくする広大位置と、の間で変位可能であって、当該狭小位置にあるときは当該特定始動口への遊技球の受け入れが不可能である一方、当該広大位置にあるときは当該特定始動口への遊技球の受け入れが可能となる受入防止部材、を有しており、前記可動部材を有する特定始動口は、前記受止誘導部材および前記受入防止部材を有する前記可動部材を構成要素とする特定始動口のみから構成される遊技機であって、前記遊技制御装置は、前記受止誘導部材を、前記収容位置から前記突出位置に変位させる可動制御を行う受止誘導可動制御手段と、前記受入防止部材を、前記狭小位置から前記広大位置に変位させる可動制御を行う受入防止可動制御手段と、特定条件の成立に応じて、前記受止誘導可動制御手段による可動制御及び前記受入防止可動制御手段による可動制御によって前記特定始動口への遊技球の受け入れを所定の期間だけ可能とする始動口開放制御を行う始動口開放制御手段と、前記受止誘導部材の前記突出位置から前記収容位置への切り替わりに際して溢し損ねた遊技球が前記特定始動口に受け入れられ得る期間中であるか否かを判断する期間判断手段と、前記始動口開放制御手段による前記始動口開放制御が行われていること、及び、前記期間判断手段により前記特定始動口に受け入れられ得る期間中である旨判断されること、のいずれかの条件が満たされているとき、該条件が満たされている旨を示す期間情報を前記監視装置に対して送信する情報送信手段と、を備えるものであり、前記監視装置は、前記受入検出装置による前記遊技球の受入検出があったときは、前記情報送信手段から前記期間情報が送信されているか否かを前記専用のディジタル回路を通じて判断し、該期間情報が送信されている旨判断されることに基づいて当該遊技球の受入検出が有効である旨判定することを要旨とする。
また、請求項２に記載の遊技機は、請求項１に記載の遊技機において、前記抽選手段は、前記受入検知手段によって受入信号が検知されたことに基づいて乱数を取得し、該取得した乱数に基づいて前記大当たりについての当落にかかる抽選処理を行うものであることを要旨とする。
また、請求項３に記載の遊技機は、請求項１または２に記載の遊技機において、前記監視装置は、前記受入検出装置による前記遊技球の受入検出があったときは、前記受入検出装置から出力される前記受入信号と、前記情報送信手段から送信される前記期間情報とを前記専用のディジタル回路としてのＡＮＤ回路に取り込み、該ＡＮＤ回路からの出力信号を前記遊技制御装置に送信するものであり、前記遊技制御装置の前記受入検知手段は、前記ＡＮＤ回路からの出力信号を前記受入検出装置から出力された受入信号として受信するものであることを要旨とする。